(57)【要約】【課題】衣類の洗濯や乾燥を行うことができる別途の衣類処理装置を提供する。【解決手段】本発明は、キャビネットから引き出し可能に設けられるドロワーと、洗濯水が貯蔵される空間を提供し、ドロワーの内部に設けられる収容部と、給水源に連結されて収容部に洗濯水を供給する給水流路と、キャビネットに回転可能に設けられ、給水流路を支持するボディーと、キャビネットに設けられ、ボディーの移動を案内するボディーガイダーとを含む衣類処理装置に関する。【選択図】図２
2015226772.tif 000002
【特許請求の範囲】
【請求項１】
キャビネットと、
前記キャビネットから引き出し可能に設けられるドロワーと、
洗濯水が貯蔵される空間を提供し、前記ドロワーの内部に設けられる収容部と、
給水源に連結されて前記収容部に洗濯水を供給する給水流路と、
前記給水流路が設けられるか、または前記給水流路を支持するように設けられ、前記キャビネットに回転可能に結合されるボディーと、
前記キャビネットに設けられて前記ボディーの移動を案内するボディーガイダーと、を含むことを特徴とする、衣類処理装置。
【請求項２】
前記ボディーガイダーは、前記ボディーの下部面を支持するように設けられる、請求項１に記載の衣類処理装置。
【請求項３】
前記ボディーに設けられる第１締結部と、
前記ボディーガイダーの長手方向に沿って設けられ、前記第１締結部が移動可能に支持される第２締結部と、を含む、請求項１に記載の衣類処理装置。
【請求項４】
前記第２締結部は、前記ボディーガイダーの長手方向に沿って突出して設けられるレール、または前記ボディーガイダーの長手方向に沿って凹状に折れ曲がって設けられる溝として備えられ、
前記第１締結部は、前記ボディーから突出して前記第２締結部に移動可能に結合される鉤として備えられる、請求項３に記載の衣類処理装置。
【請求項５】
前記ボディーガイダーは、前記キャビネットに固定されて前記ドロワーの上部に位置し、
前記ボディーは、前記ボディーガイダーと前記ドロワーとの間に位置する、請求項４に記載の衣類処理装置。
【請求項６】
前記収容部の内部の洗濯水を前記キャビネットの外部に排出させる排水流路と、
前記ドロワーに回転可能に設けられ、前記排水流路を支持する第１フレームと、
前記キャビネットに回転可能に設けられ、前記排水流路を支持する第２フレームと、
前記第１フレームと前記第２フレームとを回転可能に結合するフレーム回転軸と、を含む、請求項１に記載の衣類処理装置。
【請求項７】
前記収容部の内部の洗濯水を前記収容部の外部に排出させ、前記ボディーに支持されるか、または前記ボディーに設けられる排水流路をさらに含み、
前記ボディーは、前記ドロワーの後方面の上部に位置する、請求項１に記載の衣類処理装置。
【請求項８】
前記ボディーの断面形状は、前記ドロワーの後方面の上縁部を収容可能な形状に設けられる、請求項７に記載の衣類処理装置。
【請求項９】
前記ボディーは、洗濯水の流路を形成し、隔壁によって区分されて設けられる第１流路及び第２流路をさらに含み、
前記第１流路は、前記ドロワーの上部に位置して前記ドロワーの上部面に平行であり、
前記第２流路は、前記ドロワーの後方に位置して前記ドロワーの後方面に平行である、請求項８に記載の衣類処理装置。
【請求項１０】
前記給水流路は、前記第１流路と、前記第１流路と前記給水源とを連結する連結管と、前記第１流路と前記収容部とを連結する給水管と、を備え、
前記排水流路は、前記第２流路と、前記第２流路と前記収容部とを連結する第１排水管と、前記第２流路を前記キャビネットの外部と連結する第２排水管と、を備える、請求項９に記載の衣類処理装置。
【請求項１１】
前記収容部の内部の洗濯水を前記収容部の外部に排出させ、前記ボディーに支持される排水流路をさらに含み、
前記給水流路は、前記ボディーの内部に設けられる第１流路と、前記第１流路と前記給水源とを連結する連結管と、前記第１流路と前記収容部とを連結する給水管と、を備え、
前記排水流路は、前記ボディーの外部に支持されるように設けられる、請求項１に記載の衣類処理装置。
【請求項１２】
前記収容部の内部の洗濯水を前記収容部の外部に排出させ、前記ボディーに支持される排水流路をさらに含み、
前記給水流路は、前記ボディーの外部に支持されるように設けられ、
前記排水流路は、前記ボディーの内部に設けられる第２流路と、前記第２流路と前記収容部とを連結する第１排水管と、前記第２流路を前記キャビネットの外部と連結する第２排水管と、を備える、請求項１に記載の衣類処理装置。
【請求項１３】
前記ボディーは、
前記キャビネットに回転可能に結合されたベースと、
前記ベースに設けられ、前記給水流路の一部となる第１流路と、
前記ベースに結合して前記第１流路を密閉するカバーと、を含む、請求項１に記載の衣類処理装置。
【請求項１４】
前記給水流路は、前記第１流路と、前記第１流路と前記給水源とを連結する連結管と、前記第１流路と前記収容部とを連結する給水管と、を備える、請求項１３に記載の衣類処理装置。
【請求項１５】
前記収容部の内部の洗濯水を前記収容部の外部に排出させる排水流路をさらに含み、
前記排水流路は、
前記ベースに設けられる第２流路と、
前記第２流路と前記収容部とを連結する第１排水管と、
前記第２流路を前記キャビネットの外部と連結する第２排水管と、を含む、請求項１４に記載の衣類処理装置。
【請求項１６】
前記第２排水管における少なくとも一部の領域は、伸縮可能な構造または弾性材質で設けられる、請求項１５に記載の衣類処理装置。
【請求項１７】
前記収容部の内部の洗濯水を前記収容部の外部に排出させ、前記ボディーに支持される排水流路と、
前記排水流路を介して供給される洗濯水を前記キャビネットの外部に案内する排出管と、をさらに含み、
前記排水流路において前記排出管に連結される部分は、伸縮可能な構造または弾性材質で設けられる、請求項１に記載の衣類処理装置。
【請求項１８】
前記ドロワーに設けられ、前記給水流路が連結される給水口と、
前記収容部に設けられ、前記給水口に連通する貫通孔と、
前記給水口と前記貫通孔との間に位置し、前記貫通孔を通して前記収容部から排出される水分を前記貫通孔に回収する回収部と、をさらに含む、請求項１に記載の衣類処理装置。
【請求項１９】
前記回収部は、
前記ドロワーに設けられ、前記貫通孔の上部に位置して、前記貫通孔から排出される水分を凝縮させる第１回収部と、
前記貫通孔の上部に位置し、前記第１回収部から落下する凝縮水を前記貫通孔に案内する第２回収部と、を含む、請求項１８に記載の衣類処理装置。
【請求項２０】
前記第２回収部は、前記収容部の上部面から前記第１回収部に向かって突出して設けられる回収ボディーと、前記回収ボディーを貫通するように設けられ、前記貫通孔に連通するボディー貫通孔と、を含み、
前記第１回収部は、前記ドロワーの上部面から前記第２回収部に向かって突出して設けられる、請求項１９に記載の衣類処理装置。
【請求項２１】
前記収容部の上部面が凹状に折れ曲がって設けられ、前記貫通孔の直径よりも大きい直径を有し、前記貫通孔が位置する収容溝と、
前記回収ボディーの円周面から突出して設けられ、前記収容溝の内周面に接触するボディーフランジと、
前記ボディーフランジを貫通するように設けられるフランジ貫通孔と、
前記フランジ貫通孔を通して前記収容溝の内部に流入した凝縮水を前記貫通孔に案内する回収孔と、をさらに含み、
前記第１回収部は、前記ボディーフランジが前記ドロワーに投影されることによって形成される投影面の内部に位置するように設けられる、請求項２０に記載の衣類処理装置。
【請求項２２】
前記第１回収部は、円筒形状に設けられ、直径が互いに異なる多数の中空バーとして備えられ、
各中空バーは、前記給水口を中心に同心円を形成するように配置され、
前記中空バーのうち、面積が最も大きい中空バーの面積は、前記ボディー貫通孔の面積よりは大きく、前記ボディーフランジの面積よりは小さく設けられ、
前記中空バーのうち、面積が最も小さい中空バーの面積は、前記ボディー貫通孔の面積よりも小さく設けられる、請求項２１に記載の衣類処理装置。
【請求項２３】
前記収容部は、前記ドロワーの内部に設けられ、洗濯水が貯蔵されるタブと、前記タブの内部に回転可能に設けられ、洗濯物が貯蔵されるドラムとを含み、
前記ドロワーは、投入口、及び前記給水流路が連結される給水口をさらに含み、
前記タブには、前記給水口と前記ドラムとを連通させる貫通孔、及び前記投入口と前記ドラムとを連通させるタブ投入口が設けられる、請求項１に記載の衣類処理装置。
【請求項２４】
前記給水口と前記貫通孔を連結するように設けられ、伸縮可能な構造または弾性材質で設けられるパイプをさらに含む、請求項２３に記載の衣類処理装置。
【請求項２５】
前記タブに回転可能に設けられ、前記タブ投入口を開閉するドアと、
前記ドアに設けられ、前記タブ投入口に挿入されるシーリングボディーと、
前記シーリングボディーから突出して前記タブ投入口の内周面に接触する第１突出部と、
前記タブ投入口の上部に位置し、前記タブに接触するように前記シーリングボディーから突出して設けられる第２突出部と、を含む、請求項２３に記載の衣類処理装置。
【請求項２６】
前記収容部に洗濯水が流入する貫通孔をさらに含み、
前記給水流路は、前記ドロワーを貫通して前記貫通孔に結合される、請求項１に記載の衣類処理装置。
【請求項２７】
前記給水流路の少なくとも一部は、伸縮可能な構造または弾性材質で設けられる、請求項２６に記載の衣類処理装置。
【請求項２８】
前記給水流路において、前記貫通孔と前記ドロワーとの間に位置した部分は、伸縮可能な構造または弾性材質で設けられる、請求項２６に記載の衣類処理装置。
【請求項２９】
前記収容部を前記ドロワーの内部に移動可能に固定させる支持部をさらに含む、請求項１に記載の衣類処理装置。
【発明の詳細な説明】
【技術分野】
【０００１】
本発明は、衣類処理装置に関する。
【背景技術】
【０００２】
一般に、衣類処理装置は、洗濯物を洗濯する装置、洗濯物を乾燥する装置、洗濯物の洗濯及び乾燥の両方を行うことができる装置を含む概念である。
【０００３】
洗濯物を衣類処理装置の前方から投入するフロントローディング方式（所謂「ドラム洗濯機」）の衣類処理装置は、洗濯物を投入するために設けられた投入口が使用者の腰よりも低い位置に形成されているため、使用者が洗濯物を衣類処理装置に投入したり、または衣類処理装置から洗濯物を取り出すときに、腰を曲げなければならない不便さがあった。
【０００４】
このような不便さを除去するために、従来の衣類処理装置の中には、フロントローディング方式の衣類処理装置の下部に受け台を追加して投入口の高さを高めたものがあった。
【０００５】
しかし、従来の衣類処理装置に備えられた受け台は、衣類処理装置の投入口を高めるための手段に過ぎず、洗濯物の洗濯や乾燥のような衣類処理の機能を具現できないという欠点があった。
【発明の概要】
【発明が解決しようとする課題】
【０００６】
本発明は、衣類処理のために備えられる装置に着脱可能に設けられ、衣類の洗濯や乾燥を行うことができる別途の衣類処理装置を提供することを解決しようとする課題とする。
【０００７】
また、本発明は、キャビネットから引き出し可能に設けられ、洗濯物を収容する収容部に、洗濯水を給水または排水することが容易な衣類処理装置を提供することを解決しようとする課題とする。
【０００８】
また、本発明は、収容部から排出される水分を凝縮させて収容部に回収可能な衣類処理装置を提供することを解決しようとする課題とする。
【０００９】
また、本発明は、収容部に貯蔵された洗濯水を排出させる排出部に洗濯水が残留することを防止することができる衣類処理装置を提供することを解決しようとする課題とする。
【課題を解決するための手段】
【００１０】
本発明は、上述した課題を解決するために、キャビネットと、前記キャビネットから引き出し可能に設けられるドロワーと、洗濯水が貯蔵される空間を提供し、前記ドロワーの内部に設けられる収容部と、給水源に連結されて前記収容部に洗濯水を供給する給水流路と、前記給水流路が設けられるか、または前記給水流路を支持するように設けられ、前記キャビネットに回転可能に結合されるボディーと、前記キャビネットに設けられて前記ボディーの移動を案内するボディーガイダーとを含む衣類処理装置を提供する。
【００１１】
前記ボディーガイダーは、前記ボディーの下部面を支持するように設けられてもよい。
【００１２】
本発明は、前記ボディーに設けられる第１締結部と、前記ボディーガイダーの長手方向に沿って設けられ、前記第１締結部が移動可能に支持される第２締結部とを含むことができる。
【００１３】
前記第２締結部は、前記ボディーガイダーの長手方向に沿って突出して設けられるレール、または前記ボディーガイダーの長手方向に沿って凹状に折れ曲がって設けられる溝として備えられ、前記第１締結部は、前記ボディーから突出して前記第２締結部に移動可能に結合される鉤として備えられてもよい。
【００１４】
前記ボディーガイダーは、前記キャビネットに固定されて前記ドロワーの上部に位置し、前記ボディーは、前記ボディーガイダーと前記ドロワーとの間に位置することができる。
【００１５】
本発明は、前記収容部の内部の洗濯水を前記キャビネットの外部に排出させる排水流路と、前記ドロワーに回転可能に設けられ、前記排水流路を支持する第１フレームと、前記キャビネットに回転可能に設けられ、前記排水流路を支持する第２フレームと、前記第１フレームと前記第２フレームとを回転可能に結合するフレーム回転軸とを含むことができる。
【００１６】
本発明は、前記収容部の内部の洗濯水を前記収容部の外部に排出させ、前記ボディーに支持されるか、または前記ボディーに設けられる排水流路をさらに含み、前記ボディーは、前記ドロワーの後方面の上部に位置してもよい。
【００１７】
前記ボディーの断面形状は、前記ドロワーの後方面の上縁部を収容可能な形状に設けられてもよい。
【００１８】
前記ボディーは、洗濯水の流路を形成し、隔壁によって区分されて設けられる第１流路及び第２流路をさらに含み、前記第１流路は、前記ドロワーの上部に位置して前記ドロワーの上部面に平行であり、前記第２流路は、前記ドロワーの後方に位置して前記ドロワーの後方面に平行に設けられてもよい。
【００１９】
前記給水流路は、前記第１流路と、前記第１流路と前記給水源とを連結する連結管と、前記第１流路と前記収容部とを連結する給水管とを備え、前記排水流路は、前記第２流路と、前記第２流路と前記収容部とを連結する第１排水管と、前記第２流路を前記キャビネットの外部と連結する第２排水管とを備えることができる。
【００２０】
本発明は、前記収容部の内部の洗濯水を前記収容部の外部に排出させ、前記ボディーに支持される排水流路をさらに含み、前記給水流路は、前記ボディーの内部に設けられる第１流路と、前記第１流路と前記給水源とを連結する連結管と、前記第１流路と前記収容部とを連結する給水管とを備え、前記排水流路は、前記ボディーの外部に支持されるように設けられてもよい。
【００２１】
本発明は、前記収容部の内部の洗濯水を前記収容部の外部に排出させ、前記ボディーに支持される排水流路をさらに含み、前記給水流路は、前記ボディーの外部に支持されるように設けられ、前記排水流路は、前記ボディーの内部に設けられる第２流路と、前記第２流路と前記収容部とを連結する第１排水管と、前記第２流路を前記キャビネットの外部と連結する第２排水管とを備えることができる。
【００２２】
前記ボディーは、前記キャビネットに回転可能に結合されたベースと、前記ベースに設けられ、前記給水流路の一部となる第１流路と、前記ベースに結合して前記第１流路を密閉するカバーとを含むことができる。
【００２３】
前記給水流路は、前記第１流路と、前記第１流路と前記給水源とを連結する連結管と、前記第１流路と前記収容部とを連結する給水管とを備えることができる。
【００２４】
前記収容部の内部の洗濯水を前記収容部の外部に排出させる排水流路をさらに含み、前記排水流路は、前記ベースに設けられる第２流路と、前記第２流路と前記収容部とを連結する第１排水管と、前記第２流路を前記キャビネットの外部と連結する第２排水管とを含むことができる。
【００２５】
前記第２排水管における少なくとも一部の領域は、伸縮可能な構造または弾性材質で設けられてもよい。
【００２６】
本発明は、前記収容部の内部の洗濯水を前記収容部の外部に排出させ、前記ボディーに支持される排水流路と、前記排水流路を介して供給される洗濯水を前記キャビネットの外部に案内する排出管とをさらに含み、前記排水流路において前記排出管に連結される部分は、伸縮可能な構造または弾性材質で設けられてもよい。
【００２７】
本発明は、前記ドロワーに設けられ、前記給水流路が連結される給水口と、前記収容部に設けられ、前記給水口に連通する貫通孔と、前記給水口と前記貫通孔との間に位置し、前記貫通孔を通して前記収容部から排出される水分を前記貫通孔に回収する回収部とをさらに含むことができる。
【００２８】
前記回収部は、前記ドロワーに設けられ、前記貫通孔の上部に位置して、前記貫通孔から排出する水分を凝縮させる第１回収部と、前記貫通孔の上部に位置し、前記第１回収部から落下する凝縮水を前記貫通孔に案内する第２回収部とを含むことができる。
【００２９】
前記第２回収部は、前記収容部の上部面から前記第１回収部に向かって突出して設けられる回収ボディーと、前記回収ボディーを貫通するように設けられ、前記貫通孔に連通するボディー貫通孔とを含み、前記第１回収部は、前記ドロワーの上部面から前記第２回収部に向かって突出して設けられてもよい。
【００３０】
本発明は、前記収容部の上部面が凹状に折れ曲がって設けられ、前記貫通孔の直径よりも大きい直径を有し、前記貫通孔が位置する収容溝と、前記回収ボディーの円周面から突出して設けられ、前記収容溝の内周面に接触するボディーフランジと、前記ボディーフランジを貫通するように設けられるフランジ貫通孔と、前記フランジ貫通孔を通して前記収容溝の内部に流入した凝縮水を前記貫通孔に案内する回収孔とをさらに含み、前記第１回収部は、前記ボディーフランジが前記ドロワーに投影されることによって形成される投影面の内部に位置するように設けられてもよい。
【００３１】
前記第１回収部は、円筒形状に設けられ、直径が互いに異なる多数の中空バーとして備えられ、各中空バーは、前記給水口を中心に同心円を形成するように配置され、前記中空バーのうち、面積が最も大きい中空バーの面積は、前記ボディー貫通孔の面積よりは大きく、前記ボディーフランジの面積よりは小さく設けられ、前記中空バーのうち、面積が最も小さい中空バーの面積は、前記ボディー貫通孔の面積よりも小さく設けられてもよい。
【００３２】
前記収容部は、前記ドロワーの内部に設けられ、洗濯水が貯蔵されるタブと、前記タブの内部に回転可能に設けられ、洗濯物が貯蔵されるドラムとを含み、前記ドロワーは、投入口及び前記給水流路が連結される給水口をさらに含み、前記タブには、前記給水口と前記ドラムとを連通させる貫通孔、及び前記投入口と前記ドラムとを連通させるタブ投入口が設けられてもよい。
【００３３】
本発明は、前記給水口と前記貫通孔を連結し、伸縮可能な構造または弾性材質で設けられるパイプをさらに含むことができる。
【００３４】
本発明は、前記タブに回転可能に設けられ、前記タブ投入口を開閉するドアと、前記ドアに設けられ、前記タブ投入口に挿入されるシーリングボディーと、前記シーリングボディーから突出して前記タブ投入口の内周面に接触する第１突出部と、前記タブ投入口の上部に位置し、前記タブに接触するように前記シーリングボディーから突出して設けられる第２突出部とを含むことができる。
【００３５】
本発明は、前記収容部に洗濯水が流入する貫通孔をさらに含み、前記給水流路は、前記ドロワーを貫通して前記貫通孔に結合されてもよい。
【００３６】
前記給水流路の少なくとも一部は、伸縮可能な構造または弾性材質で設けられてもよい。
【００３７】
前記給水流路において、前記貫通孔と前記ドロワーとの間に位置した部分は、伸縮可能な構造または弾性材質で設けられてもよい。
【００３８】
本発明は、前記収容部を前記ドロワーの内部に移動可能に固定させる支持部をさらに含むことができる。
【００３９】
前記収容部は、前記ドロワーの内部に設けられ、洗濯水を貯蔵するタブと、前記タブの内部に回転可能に設けられ、洗濯物が貯蔵されるドラムと、前記タブを前記ドロワーの内部に移動可能に固定するタブ支持部とをさらに含むことができる。
【発明の効果】
【００４０】
本発明は、衣類処理のために備えられる装置に着脱可能に設けられ、衣類の洗濯や乾燥を行うことができる別途の衣類処理装置を提供する効果を図ることができる。
【００４１】
また、本発明は、キャビネットから引き出し可能に設けられ、洗濯物を収容する収容部に、洗濯水を給水または排水することが容易な衣類処理装置を提供する効果を図ることができる。
【００４２】
また、本発明は、収容部から排出される水分を凝縮させて収容部に回収可能な衣類処理装置を提供する効果を図ることができる。
【００４３】
また、本発明は、収容部に貯蔵された洗濯水を排出させる排出部に洗濯水が残留することを防止できる衣類処理装置を提供する効果を図ることができる。
【図面の簡単な説明】
【００４４】
【図１】本発明の衣類処理装置の斜視図である。
【図２】衣類処理装置の分解図である。
【図３】本発明に備えられたドロワー、タブ及びドアを示す図である。
【図４】本発明に備えられたタブカバーを示す図である。
【図５】本発明に備えられた凝縮水回収部を示す図である。
【図６】本発明に備えられたガイダー及び排水ガイダーを示す図である。
【図７】本発明に備えられた排水ガイダーを示す図である。
【図８】本発明に備えられたガイダーの動きを示す図である。
【図９】本発明に備えられたガイダーの他の実施例を示す図である。
【図１０】本発明に備えられたガイダーの他の実施例を示す図である。
【発明を実施するための形態】
【００４５】
以下では、添付の図面を参照して、本発明の好ましい実施例を詳細に説明する。一方、以下で記述する装置の構成や制御方法は、本発明の実施例を説明するためのものに過ぎず、本発明の権利範囲を限定するためのものではなく、明細書全般にわたって同一に使用された参照番号は同一の構成要素を示す。
【００４６】
図１に示すように、本発明の衣類処理装置１００は、洗濯物の洗濯や乾燥のような衣類処理機能を具現する第１処理装置Ｔと、第１処理装置Ｔに着脱可能に設けられ、洗濯物の洗濯や乾燥のような衣類処理機能を具現する第２処理装置Ｌとを含んで備えられることが好ましい。しかし、本発明の衣類処理装置１００は、第２処理装置Ｌのみを備えてもよい。
【００４７】
以下では、第１処理装置Ｔ及び第２処理装置Ｌの両方を備えた衣類処理装置を基準として説明する。
【００４８】
本発明に備えられた第１処理装置Ｔは、外観を形成する第１処理装置キャビネット１と、第１処理装置キャビネット１の内部に設けられ、洗濯水が貯蔵される第１処理装置タブ（図示せず）と、第１処理装置タブの内部に回転可能に設けられ、洗濯物が貯蔵される第１処理装置ドラム（図示せず）と、第１処理装置タブに洗濯水を供給する第１処理装置給水部（図示せず）と、第１処理装置タブに貯蔵された洗濯水を第１処理装置キャビネット１の外部に排出させる第１処理装置排水部（図示せず）とを含むことができる。
【００４９】
第１処理装置キャビネット１には、洗濯物の出入りのための第１処理装置投入口（図示せず）が設けられ、第１処理装置投入口は、第１処理装置キャビネット１に回転可能に結合された第１処理装置ドア１１によって開閉される。
【００５０】
また、第１処理装置タブには、第１処理装置投入口に連通する第１処理装置タブ投入口が設けられるので、使用者は、第１処理装置ドア１１の開放時に洗濯物を第１処理装置ドラムに投入することができる。
【００５１】
一方、第１処理装置Ｔが洗濯物の乾燥機能も行うことができるように備えられる場合、第１処理装置キャビネット１の内部には、第１処理装置タブへ加熱された空気を供給する熱風供給装置（図示せず）がさらに備えられなければならない。
【００５２】
熱風供給装置（図示せず）は、第１処理装置タブの内部の空気を循環させるように設けられる循環ダクトと、循環ダクトの内部に設けられ、第１処理装置タブから排出された空気の除湿及び加熱のための熱交換部とを備えることができる。
【００５３】
しかし、熱風供給装置（図示せず）は、第１処理装置タブの内部の空気を第１処理装置キャビネット１の外部に排出させる排出ダクトと、第１処理装置キャビネット１の外部の空気を第１処理装置タブに供給する供給ダクトと、供給ダクトに設けられる熱交換部とを備えても構わない。
【００５４】
上述とは異なり、第１処理装置Ｔが洗濯物の乾燥のみを行うように備えられる場合、第１処理装置Ｔは、第１処理装置タブを必要としない代わりに、熱風供給装置は、第１処理装置キャビネットの内部に設けられた第１処理装置ドラムに熱風を供給するように備えられなければならない。
【００５５】
本発明に備えられる第２処理装置Ｌは、第１処理装置キャビネット１に着脱可能に設けられるキャビネット２と、キャビネット２から引き出し可能に設けられるドロワー３と、ドロワーの内部に設けられ、洗濯物の処理空間を提供する収容部４，５とを含む。
【００５６】
キャビネット２は、第２処理装置Ｌの外観を形成し、第１処理装置キャビネット１を支持するように設けられてもよい。図１に示したものとは異なり、第２処理装置に備えられたキャビネット２は、第１処理装置キャビネット１の上部面や側面に着脱可能に設けられても構わない。
【００５７】
しかし、第２処理装置Ｌが第１処理装置Ｔの下部に備えられる場合、第１処理装置ドア１１の高さが高くなるので、使用者が洗濯物を投入したり、取り出したりするときに便利さを提供するという効果がある。
【００５８】
キャビネット２には開放面２１が設けられ、ドロワー３は、開放面２１を介してキャビネット２から引き出されたり、またはキャビネット２の内部に挿入され得る。第２処理装置Ｌが第１処理装置Ｔの下部面に備えられる場合、第１処理装置Ｔは上部パネル２５（図２参照）によって支持され、開放面２１は、第１処理装置ドア１１が位置した方向（第１処理装置の前方面）に設けられることが好ましい。
【００５９】
図２に示すように、ドロワー３は、上部面が開放されたドロワーボディー３１と、ドロワーボディーの開放された上部面に設けられるドロワーカバー３５とを含む。
【００６０】
ドロワーボディー３１は、内部が空いている空間を形成する六面体形状に設けられてもよく、ドロワーカバー３５は、ドロワーボディー３１の上部面を形成するようにドロワーボディー３１に固定される。
【００６１】
ドロワーボディー３１の前方面にはドロワーパネル３３が設けられる。ドロワーパネル３３にはハンドル（図示せず）が設けられてもよい。この場合、使用者は、ハンドルを用いて、キャビネット２に挿入されたドロワーボディー３１をキャビネット２の外部に引き出すことができる。
【００６２】
ドロワーパネル３３には、第２処理装置Ｌの作動を制御するコントロールパネル３３１が設けられてもよい。コントロールパネル３３１は、収容部４，５に洗濯水を給／排水するための手段、衣類を回転させる手段、衣類にスチームや熱風を供給する手段などを制御するために、使用者が制御命令を入力するための手段である。
【００６３】
また、コントロールパネル３３１は、使用者によって入力された制御命令の確認、使用者が入力した制御命令の実行過程を使用者に通知するための手段であってもよい。
【００６４】
ドロワーカバー３５には、ドロワーカバー３５を貫通するように設けられ、ドロワーボディー３１の内部をドロワーボディー３１の外部と連通させる投入口３５３と、ドロワーカバー３５を貫通するように設けられ、収容空間４，５に洗濯水を案内する給水口３５５とが備えられてもよい。
【００６５】
ドロワー３の内部に設けられる収容部４，５は、ドロワーボディー３１の内部に設けられ、洗濯水が貯蔵される空間を提供するタブ４と、タブの内部に回転可能に設けられ、洗濯物が貯蔵されるドラム５とを備えてもよい。
【００６６】
タブ４は、洗濯水が貯蔵される空間を提供し、上部面が開放された形状のタブボディー４１と、タブボディー４１の上部面に固定されるタブカバー４３とを備えることができ、ドラム５は、上部面が開放された円筒形状に設けられてもよい。
【００６７】
図３に示すように、ドラム５は、タブボディー４１の外部に設けられた駆動部によってタブボディー４１の内部で回転可能であり、駆動部は、タブボディー４１に固定されて回転磁場を形成するステータＭ１と、回転磁場により回転するローターＭ２と、タブボディー４１を貫通するように設けられ、ドラム５とローターＭ２とを連結する駆動軸Ｍ３とを備えることができる。
【００６８】
ドラム５の外周面には、ドラム５の内部をタブボディー４１の内部と連通させるドラム貫通孔５１が設けられる。
【００６９】
一方、タブボディー４１は、タブ支持部Ｄを通じてドロワーボディー３１の内部に固定される。
【００７０】
タブ支持部Ｄは、ドロワー連結部Ｄ１、タブ連結部Ｄ３、及び各連結部Ｄ１，Ｄ３を連結するロードＤ５を備えることができる。この場合、ドロワーボディー３１には、ドロワー連結部Ｄ１を支持するように設けられた第１ブラケット３１１が備えられ、タブボディー４１の外周面には、タブ連結部Ｄ３によって支持される第２ブラケット４１１が備えられなければならない。
【００７１】
第１ブラケット３１１は、ドロワーボディー３１の内周面からドロワーボディー３１の中心に向かって突出して設けられてもよく、第２ブラケット４１１は、タブボディー４１の外周面からドロワーボディー３１の内周面に向かって突出して設けられてもよい。
【００７２】
タブカバー４３は、タブボディー４１の上部面を形成するカバーボディー４３１と、カバーボディー４３１を貫通するように設けられ、投入口３５３とドラム５とを連通させるタブ投入口４３５とを含む。
【００７３】
タブ投入口４３５には、カバーボディー４３１に回転可能に設けられるドア４９が備えられる。
【００７４】
ドア４９はヒンジ（図示せず）を介してカバーボディー４３１に結合され、投入口３５３はタブ投入口４３５の上部に位置し、ドア４９及びタブ投入口４３５の大きさは、投入口３５３の大きさよりも小さく設けられる。したがって、本発明は、タブ投入口４３５がドロワーカバー３５の下部に位置しているにもかかわらず、ドア４９を通じてタブ投入口４３５を開閉することができる。
【００７５】
特に、ドア４９の外周面は、投入口３５３の内周面と所定距離Ｘ１，Ｘ２だけ離隔して設けられることが好ましい。これは、幾何公差（ｇｅｏｍｅｔｒｉｃ  ｔｏｌｅｒａｎｃｅ）や位置公差（ｐｏｓｉｔｉｏｎａｌ  ｔｏｌｅｒａｎｃｅ）によってドア４９が投入口３５３に干渉してタブ投入口４３５を開放できないという問題を防止するためである。
【００７６】
ドア４９には、ドア４９をドロワーカバー３５またはカバーボディー４３１に着脱可能に固定させるドアハンドル４９３が設けられてもよい。
【００７７】
一方、ドア４９には、タブ投入口４３５を通して洗濯水が漏出することを防止するためのシーリング部４９５が設けられてもよい。
【００７８】
シーリング部４９５は、ドア４９の下部面に固定され、ドア４９がタブ投入口４３５を閉鎖したときにタブ投入口４３５に挿入されるシーリングボディー４９６と、シーリングボディー４９６から突出して設けられる第１突出部４９７及び第２突出部４９８とを含むことができる。
【００７９】
第１突出部４９７は、シーリングボディー４９６の外周面からタブ投入口４３５の内周面に向かって突出して設けられ、第１突出部４９７は、ドア４９がタブ投入口４３５を閉鎖したときにタブ投入口４３５の内周面に接触可能な長さで設けられることが好ましい。
【００８０】
さらに、第１突出部４９７は、シーリングボディー４９６に少なくとも２つ以上設けられてもよく、各第１突出部４９７は互いに所定距離離隔するように設けられてもよい。
【００８１】
一方、第２突出部４９８は、ドア４９がタブ投入口４３５を閉鎖したときにタブ投入口４３５が密閉されるように、シーリングボディー４９６の外周面から突出して設けられてもよい。すなわち、第２突出部４９８は、ドア４９がタブ投入口４３５を閉鎖したときにカバーボディー４３１の上部面に接触可能な長さで設けられなければならない。
【００８２】
上述したシーリング部４９５は、ドア４９がタブ投入口４３５を閉鎖したときにタブ投入口４３５をシーリングすることができる限り、いかなる材質からなってもよいが、ゴムのような弾性体が一例となり得る。
【００８３】
図４に示すように、タブボディー４１の上部面を形成するカバーボディー４３１には、タブボディー４１の内周面に挿入される挿入部４３９が設けられ、挿入部４３９には、タブボディー３１の内部の洗浄水をドラム５に案内する傾斜部４３９１が設けられてもよい。
【００８４】
タブボディー４１の内部に設けられたドラム５は、上部面が開放された円筒形状に設けられ、ドラム５の外周面には、ドラム５の内部とタブボディー４１の内部とを連通させるドラム貫通孔５１が設けられる。
【００８５】
この場合、ドラム５が回転すると、タブボディー４１の内部に貯蔵された洗濯水は、タブボディー４１の内周面に沿って回転しながら、タブボディー４１の底面からタブカバー４３まで上昇することができる。したがって、傾斜部４３９１は、タブボディー４１の底面からタブカバー４３に向かって移動した洗濯水をドラム５の上部面に案内する手段である。
【００８６】
タブボディー４１の内部の洗濯水がドラム５の上部面を介してドラム５に再供給されると、洗濯水が、ドラム５に貯蔵された洗濯物を打撃できるので、本発明は、傾斜部４３９１を通じて洗濯力を高めることができる。
【００８７】
一方、カバーボディー４３１には、ドロワー３に設けられた給水口３５５の下部に位置し、給水口３５５に流入する洗濯水をドラム５に案内する貫通孔４３８が設けられる。
【００８８】
タブ４がドロワー３の内部に固定された状態であるので、理論的には、貫通孔４３８の位置は、給水口３５５の下部に固定されたものと見ることができる（貫通孔と給水口との間の相対運動が発生しないものと見ることができる）。したがって、貫通孔４３８と給水口３５５とを連結するパイプを介して、給水口３５５に流入する洗濯水をタブ４に供給することも可能である。この場合、貫通孔４３８と給水口３５５とを連結するパイプは、伸縮可能なホース（ｆｌｅｘｉｂｌｅ  ｈｏｓｅ、ｂｅｌｌｏｗｓ  ｈｏｓｅなど）として設けられてもよい。
【００８９】
ただし、貫通孔４３８と給水口３５５とを連結する物理的流路を形成させようとする場合、給水管７７を活用することもできる。すなわち、給水管７７は、ドロワーを貫通して貫通孔４３８に直接連結されてもよい。
【００９０】
この場合、給水管７７の少なくとも一部の領域は、弾性材質または伸縮可能な構造を有するように設けられることが好ましく、伸縮可能な構造や弾性材質で設けられる給水管７７の領域は、貫通孔４３８とドロワーカバー３５（ドロワーの上部面）との間に位置できる。
【００９１】
しかし、ドラム５の回転時に発生した振動がタブボディー４１に伝達される場合、貫通孔４３８と給水口３５５とを連結するパイプが振動することがあり、この場合、パイプの耐久性が低下、またはパイプの振動を低減させるための構造を考慮しなければならないという問題が発生することがある。したがって、パイプのように貫通孔４３８と給水口３５５とを連結する手段なしに、貫通孔４３８を給水口３５５の下部に位置させることによってタブ４に洗濯水を供給する方式がより好ましい。
【００９２】
一方、貫通孔４３８と給水口３５５との間にこれらを連結するパイプが設けられない場合、タブボディー４１に温水が供給されるか、またはタブボディー４1の外部に設けられたスチーム発生装置（図示せず）を介してタブボディー４１の内部にスチームが供給される場合、貫通孔４３８は、タブ内部４１の水分（水、ミスト、スチームなど）をキャビネット２の内部に排出させるという欠点がある。
【００９３】
すなわち、貫通孔４３８を通してタブ内部４１の水分や熱がキャビネット２の内部に排出される場合、洗濯力が低下することもあり、キャビネット２の内部に設けられた装置（電子装置など）の故障や腐食を誘発するという問題が発生することもある。したがって、本発明は、貫通孔４３８を通してタブ内部４１の水分がキャビネット２に排出されることを最小化するための回収部をさらに含むことができる。
【００９４】
図５に示すように、本発明に備えられる回収部４５は、ドロワーカバー３５に設けられ、貫通孔４３８から排出される水分が接触する第１回収部４５１と、第１回収部４５１から供給される水分を貫通孔４３８に案内する第２回収部４５３とを備えることができる。
【００９５】
第２回収部４５３は、タブカバー４３の上部面から第１回収部４５１に向かって突出して設けられる回収ボディー４５４と、回収ボディー４５４を貫通するように設けられて貫通孔４３８に連通するボディー貫通孔４５６とを備えることができる。
【００９６】
第１回収部４５１は、貫通孔４３８から排出される水分を第２回収部４５３に供給できる限り、いかなる構造で設けられてもよい。
【００９７】
すなわち、本発明に備えられる第１回収部４５１は、ドロワーカバー３５から第２回収部４５３に向かって突出して設けられる平面や曲面形状の板（ｂｏａｒｄ）として備えられてもよく、第２回収部４５３に向かう面が開放された中空バー（ｈｏｌｌｏｗ  ｂａｒ）の形状に設けられてもよい。
【００９８】
第１回収部４５１が中空バーとして備えられる場合、中空バーは様々な形状を有することができ、図５は、中空バーが円筒形状に設けられる場合を一例として示したものである。
【００９９】
第１回収部４５１が平面形状の板として備えられる場合、第１回収部４５１は、ボディー貫通孔４５６の内部に位置するように設けられることが好ましい。
【０１００】
すなわち、第１回収部４５１が多数の板として備えられる場合、多数の板（ｂｏａｒｄ）は、ボディー貫通孔４５６がドロワーカバー３５に投影された空間（貫通孔投影空間）の内部に位置しなければならない。各板（ｂｏａｒｄ）から第２回収部４５３に向かって落下する水分（水や凝縮水など）がボディー貫通孔４５６を通して貫通孔４３８に供給されるようにするためである。
【０１０１】
ただし、第１回収部４５１が多数の中空バーとして備えられる場合、中空バーは、貫通孔投影空間の内部に位置するように設けられなければならない。
【０１０２】
すなわち、多数の中空バーが同じ中心を有するように配置される場合、最も大きい面積を有する中空バーは、貫通孔投影空間の内部に位置するように設けられなければならない。しかし、多数の中空バーが同じ中心を有さないように配置されれば、中空バーが形成する空間が貫通孔投影空間の内部に位置しなければならない。
【０１０３】
一方、第１回収部４５１がいかなる形状を有しても、各第１回収部４５１は、給水口３５５に干渉しないように設けられることが好ましい。また、各第１回収部４５１の自由端は、回収ボディー４５４の自由端と接触しないように設けられることが好ましい。
【０１０４】
ドラム５の回転時にタブボディー４１に伝達された振動によって第１回収部４５１と回収ボディー４５４とが衝突して、第１回収部４５１や第２回収部４５３が破損することを防止するためである。
【０１０５】
第１回収部４５１が、タブ４から排出される水がドロワー３の内部で拡散することを防止（タブから排出される水を第２回収部に案内）する手段としてのみ備えられる場合、第１回収部４５１はいかなる材質で形成されても構わない。
【０１０６】
しかし、第１回収部４５１が、タブ４から排出される水分の凝縮（タブから排出される水分と熱交換する手段）及び凝縮された水分を第２回収部に案内する手段として備えられる場合、第１回収部４５１は金属材質で形成されることが好ましい。この場合、第２回収部４５３は弾性材質で形成されてもよい。
【０１０７】
一方、本発明に備えられた回収部４５は、水分の回収量及び凝縮量を増加させるために、次のような構成をさらに含むことができる。
【０１０８】
すなわち、タブカバー４３は、カバーボディー４３１が凹状に折れ曲がって設けられ、貫通孔４３８が位置する収容溝４３７をさらに含み、第２回収部４５３は、回収ボディー４５４の円周面から突出して収容溝４３７の上部に位置するボディーフランジ４５５と、ボディーフランジ４５５を貫通するように設けられるフランジ貫通孔４５７とをさらに含むことができる。
【０１０９】
この場合、第１回収部４５１は、ボディーフランジ４５５がドロワーカバー３５に投影された空間（フランジ投影空間）の内部に位置するように設けられてもよい。
【０１１０】
すなわち、第１回収部４５１が板（ｂｏａｒｄ）として備えられる場合、第１回収部４５１は、フランジ投影空間の内部に位置するようにドロワーカバー３５から回収ボディー４５４に向かって突出して設けられてもよい。
【０１１１】
一方、第１回収部４５１が多数の中空バーとして備えられる場合、中空バーは、フランジ投影空間の内部に位置するように設けられなければならない。
【０１１２】
多数の中空バーが同じ中心を有さないように配置される場合、縁部に配置された中空バーを連結した領域がフランジ投影空間の内部に位置すれば十分である。
【０１１３】
しかし、多数の中空バーが同じ中心を有する円筒形状に設けられる場合、直径の最も大きい中空バーは、貫通孔投影空間の外部に位置したフランジ投影空間に位置するように設けられ、直径の最も小さい中空バーは、貫通孔投影空間の内部に位置してもよい。
【０１１４】
ただし、多数の中空バーが同じ中心を有するが、円筒形状ではない形状に設けられる場合、最も大きい面積を有する中空バーはフランジ投影空間の内部に位置し、最も小さい面積を有する中空バーは貫通孔投影空間の内部に位置するように設けられなければならない。
【０１１５】
第１回収部４５１が同じ中心を有する多数の中空バーとして備えられる場合、各中空バーの中心は給水口３５５であってもよい。この場合、各中空バー間の距離は一定であってもよく、不規則的であってもよい。
【０１１６】
第１回収部４５１はドロワーカバー３５によって固定されており、ドロワーカバー３５は外気と持続的に熱交換可能であるので、第１回収部４５１が給水口３５５の周辺に配置されなくても、第１回収部の表面温度は、貫通孔４３８から排出される空気よりも低い温度を維持することができる。
【０１１７】
しかし、第１回収部４５１が給水口３５５の周辺に形成されていれば、第１回収部４５１は、給水口３５５を通して供給される冷水や給水口３５５の周辺を通して流入する外気と直接熱交換することで、表面温度がさらに低くなり得るので、第１回収部４５１の冷却性能が向上する。
【０１１８】
一方、フランジ貫通孔４５７を通して収容溝４３７に流入した水分を貫通孔４３８に案内するために、回収部４５には回収孔４７がさらに設けられなければならない。
【０１１９】
貫通孔４３８から第１回収部４５１に向かって突出して回収ボディー４５４の下部面を支持する支持管４３８１が収容溝４３７に設けられる場合、回収孔４７は、支持管４３８１を貫通するように設けられてもよい。しかし、回収ボディー４５４が貫通孔４３８の円周面に直接固定される場合であれば、回収孔４７は回収ボディー４５４を貫通するように設けられなければならない。
【０１２０】
いずれの場合にも、収容溝４３７の内周面は、収容溝４３７の内部の凝縮水が回収孔４７に向かって移動するように傾斜して設けられることが好ましい。
【０１２１】
上述した実施例は、回収部４５が第１回収部４５１及び第２回収部４５３の両方を含む場合を基準として説明したが、上述とは異なり、本発明に備えられる回収部４５は、貫通孔４３８の上部に位置する第１回収部４５１のみを備えてもよい。
【０１２２】
貫通孔４３８から排出されたスチームは、第１回収部４５１の表面で凝縮した後、自重によって貫通孔４３８に流入し、貫通孔４３８から排出される水は、第１回収部４５１の表面に接触した後、自重によって貫通孔４３８に案内されるからである。
【０１２３】
一方、タブボディー４１とタブカバー４３との結合のために、タブカバー４３には、挿入部４３９の直径よりも大きい直径を有する第１収容溝４３２と、第１収容溝４３２と挿入部４３９との間に位置する第２収容溝４３３とをさらに含むことができる。
【０１２４】
この場合、タブボディー４１の上端は第２収容溝４３３に挿入され、タブボディー４１の円周面に設けられた締結部４１３，４１５は第１収容溝４３２に挿入されてもよい。
【０１２５】
締結部は、タブボディー４１の円周面からタブボディー４１から遠ざかる方向に向かって突出して設けられる締結部第１ボディー４１３と、締結部第１ボディー４１３からタブカバー４３に向かって延びて第１収容溝４３２に挿入される締結部第２ボディー４１５とを備えることができる。
【０１２６】
さらに、タブカバー４３には、第１収容溝４３２と第２収容溝４３３とを区分する収容溝隔壁４３４をさらに含むことができ、収容溝隔壁４３４は、締結部第２ボディー４１５とタブボディー４１の円周面との間に形成された空間に挿入される。
【０１２７】
タブボディー４１とタブカバー４３の上述した結合構造によって、本発明は、タブボディー４１とタブカバー４３との結合面を通してタブボディー４１の内部の洗濯水やスチームがタブボディー４１の外部に漏出することを最小化することができる。
【０１２８】
上述とは異なり、本発明に備えられた締結部４１３，４１５は、タブボディー４１の内部に位置するように設けられても構わない。すなわち、締結部第２ボディー４１５の直径がタブボディー４１の直径よりも小さく設けられても構わない。
【０１２９】
この場合、締結部第２ボディー４１５は第２収容溝４３３に挿入され、タブボディー４１の上端は第１収容溝４３２に挿入されなければならない。
【０１３０】
上述した構造を有する本発明の衣類処理装置１００は、給水流路を介して洗濯水をタブボディー４１の内部に供給し、排水流路を介してタブボディー４１の内部の洗濯水をキャビネット２の外部に排出させる。
【０１３１】
図６に示すように、排水流路は、ドロワー３に固定された排出部Ｆと背面パネル２３とを連結するように設けられ、給水流路は、供給部Ｖを介して、キャビネット２の外部に設けられた給水源とドロワー３に設けられた給水口３５５とを連結するように設けられなければならない。
【０１３２】
したがって、給水流路及び排水流路が、供給部Ｖと給水口３５５とを連結する給水管７７（固定部７７１を通じて給水口３５５に固定されてもよい）、及び排出部Ｆと背面パネル２３とを連結する排水管８７としてそれぞれ備えられ、キャビネット２の内部に給水管７７や排水管８７の移動を案内する手段が備えられない場合、ドロワー３がキャビネット２から引き出されたり、またはキャビネット２に挿入されるとき、給水管７７や排水管８７が捩れたり破損したりする危険がある。
【０１３３】
これを防止するために、本発明の衣類処理装置１００は、キャビネット２の内部に設けられ、給水流路の移動を案内するガイダー７、及び排水流路の移動を案内する排水ガイダー８のうちの少なくともいずれか１つをさらに含むことができる。
【０１３４】
排出部Ｆは、ドロワーボディー３１に固定されるポンプとして備えられてもよい。ポンプは、ドロワーボディー３１に固定されて洗濯水が貯蔵される空間を提供するハウジングＦ１と、ハウジングの内部に設けられたインペラを回転させるモーターＦ２とを備えることができる。
【０１３５】
ハウジングＦ１は、ハウジング流入部Ｆ３を介してタブボディー４１に連結され、ハウジング第１排出部Ｆ４を介して排水管８７に連結される。したがって、モーターＦ２によってインペラがハウジングＦ１の内部で回転すると、タブボディー４１に貯蔵された洗濯水は、ハウジング流入部Ｆ３を通してハウジングＦ１に流入した後、ハウジング第１排出部Ｆ４を通して排水管８７へ移動するようになる。
【０１３６】
供給部Ｖは、給水源に連結されるバルブとして備えられてもよい。ただし、キャビネット２の外部に設けられ、互いに異なる温度の洗濯水を供給する第１給水源及び第２給水源が存在すれば、本発明に備えられる供給部Ｖは、各給水源に連結された第１バルブ及び第２バルブとして備えられる。
【０１３７】
本発明に備えられるガイダー７は、キャビネット２の内部に回転可能に設けられ、給水管７７を支持するボディー７４と、キャビネット２の内部に固定されてボディー７４の移動を案内するボディーガイダー７６とを備えることができる。
【０１３８】
ボディー７４は、キャビネット２の内部に直接固定されるように設けられてもよく、図６に示したように、キャビネット２に固定された支持部７２に回転可能に設けられてもよい。
【０１３９】
支持部７２は、キャビネット２の内部のどこに固定されてもよいが、ドロワー３がキャビネット２に挿入されるときにドロワー３と干渉しないように設けなければならない。
【０１４０】
ボディー７４は、バー（ｂａｒ）形状に設けられたベース７４１と、ベース７４１を支持部７２に回転可能に結合させるベース回転軸７４３と、ベース７４１に設けられて給水管７７が収容される収容空間７４５とを備えることができる。
【０１４１】
収容空間７４５は、ベース７４１の長手方向に沿ってベース７４１の対向する両端から突出して設けられる第１フランジ７４７及び第２フランジ７４８によって形成される。
【０１４２】
一方、収容空間７４５の内部に位置した給水管７７は、カバー７４９によって、収容空間７４５から引き出されることが防止され、図６は、カバー７４９が第１フランジ７４７の自由端と第２フランジ７４８の自由端とを連結するように設けられた場合を一例として示したものである。
【０１４３】
ボディーガイダー７６は、ボディー７４がベース回転軸７４３を中心に回転するときにベース７４１を支持することができる限り、いかなる形状に設けられてもよい。ただし、ベース７４１がバー（ｂａｒ）形状に設けられる場合、ベース７４１の自由端（ｆｒｅｅ  ｅｎｄ）は円弧（ａｒｃ）軌跡を形成するようになるので、ボディーガイダー７６も円弧形状に設けられてもよい。
【０１４４】
一方、ボディーガイダー７６は、ボディー７４の下部に位置してベース７４１を支持するように設けられてもよく、ボディー７４の上部またはボディー７４が位置した高さと同一の高さに設けられてもよい。
【０１４５】
ボディーガイダー７６がベース７４１の下部面を支持するように設けられる場合、ボディー７４とボディーガイダー７６とを連結するガイダー締結部７８１，７８３を必要としないが、ボディーガイダー７６がボディー７４の上部やボディーが位置した高さと同一の高さに設けられる場合、ガイダー７には、ガイダー締結部７８１，７８３がさらに設けられることが好ましい。
【０１４６】
ボディーガイダー７６がベース７４１の下部面を支持するように設けられる場合、ボディーガイダー７６は、ドロワー３がキャビネット２の内部に挿入されるときにドロワー３に干渉しないように設けられなければならない。そのために、ボディーガイダー７６は、支持部７２からベース７４１の下部に向かって延び、円弧形状を有するように設けられてもよい。
【０１４７】
一方、ボディーガイダー７６が、ボディー７４の上部やボディーが位置した高さと同一の高さに設けられる場合、ボディーガイダー７６は、ドロワー３の運動を妨げない限り、キャビネット２の内部のどこに固定されてもよい。
【０１４８】
図６は、ボディーガイダー７６がキャビネットの上部パネル２５に固定されて設けられた場合を一例として示したものである。この場合、ボディーガイダー７６には、ボディーガイダー７６と上部パネル２５の固定のための締結手段（ねじなど）が支持される締結フランジ７６１がさらに備えられてもよい。
【０１４９】
ガイダー締結部７８は、ボディー７４がボディーガイダー７６の案内によって回転できるようにする手段であって、ボディー７４に設けられる第１締結部７８１と、ボディーガイダー７６の長手方向に沿って設けられ、第１締結部７８１が移動可能に結合される第２締結部７８３とを備えることができる。
【０１５０】
ボディーガイダー７６がボディー７４の自由端を支持するように設けられる場合、第１締結部７８１は、カバー７４９から突出して設けられる鉤として備えられてもよい。
【０１５１】
この場合、第２締結部７８３は、ボディーガイダー７６の長手方向に沿って突出して鉤を支持するレールとして備えられてもよく、ボディーガイダー７６の長手方向に沿ってボディーガイダー７６の表面が凹状に折れ曲がって鉤が収容される溝として備えられてもよい。
【０１５２】
一方、ボディーガイダー７６は、ボディー７４の自由端以外の部分を支持するように設けられてもよい。この場合、第１締結部７８１は、第１フランジ７４７及び第２フランジ７４８のうちの少なくともいずれか１つに設けられ、第２締結部７８３は、ボディー７４の上部に位置したボディーガイダー７６の長手方向に沿って設けられて第１締結部７８１を支持するようになる。
【０１５３】
上述したガイダー７に設けられたボディー７４は、ドロワーカバー３５の上部に回転可能に設けられ、ボディーガイダー７６は、ボディー７４の上部またはボディーが位置した高さと同一の高さに設けられるので、ドロワー３は、キャビネットから引き出されたり、またはキャビネットに挿入されるとき、ガイダー７に干渉されない。したがって、本発明の衣類処理装置１００は、ドロワー３がキャビネットから引き出されたり、またはキャビネットに挿入されるとき、給水管７７がドロワー３と絡み合ったり、またはドロワー３によって破損することを防止することができる。
【０１５４】
一方、本発明に備えられた排水管８７は、排水ガイダー８によって支持される。
【０１５５】
図７に示すように、排水ガイダー８は、ドロワー３に回転可能に設けられ、排水管８７の一部を支持する第１フレーム８２と、キャビネット２に回転可能に設けられ、排水管８７の一部を支持する第２フレーム８４と、第１フレーム８２と第２フレーム８４とを回転可能に結合するフレーム回転軸８６とを備えることができる。
【０１５６】
第１フレーム８２は、第１軸８２１がドロワーボディー３１の背面に固定された第１フレーム支持部８２３に結合されることによって、ドロワー３に回転可能に結合され、第２フレーム８４は、第２軸８４１がキャビネットの背面パネル２３に固定された第２フレーム支持部８４３に結合されることによって、キャビネット２に回転可能に結合される。
【０１５７】
第１フレーム８２の自由端と第２フレーム８４の自由端とは、フレーム回転軸８６を介して互いに連結される。
【０１５８】
一方、第２フレーム支持部８４３には、背面パネル２３を貫通するように設けられる排出管８４５が設けられ、排出管８４５は、下水管Ｆ７を介して下水口に連結されてもよい。この場合、排水管８７は、ハウジング第１排出部Ｆ４と排出管８４５とを連結するように設けられ、第１フレーム８２及び第２フレーム８４によって支持される。
【０１５９】
図８に示すように、ドロワー３がキャビネット２から引き出されると、第２フレーム８４は、第２軸８４１を中心に時計方向に回転し、第１フレーム８２は、第１軸８２１を中心に反時計方向に回転し、フレーム回転軸８６を介して第２フレーム８４と連結された状態が維持される。したがって、本発明の衣類処理装置は、ドロワー３がキャビネット２から引き出されたり、またはキャビネットに挿入されるとき、排水管８７がドロワー３や給水管７７に絡み合ったり、または破損することを防止することができる。
【０１６０】
上述した構造のみを有する衣類処理装置は、排出部のモーターＦ２が作動するとき、タブボディー４１の内部の洗濯水がサイフォン（Ｓｉｐｈｏｎ）現象によって排出され得る。
【０１６１】
サイフォン現象が発生すると、タブボディー４１や排水管８７に洗濯水が残留しないという面では有利であるが、下水管Ｆ７を通して下水口の悪臭がタブボディー４１に流入することがあり、洗濯水の排水が完了する前にタブボディー４１に洗濯水が給水されれば、タブボディー４１に流入する洗濯水まで排水されるおそれがある。
【０１６２】
したがって、本発明は、排水管８７にサイフォン現象が発生することを防止するための連通管７９がさらに設けられてもよい。連通管７９は、給水管７７と排水管８７とを連結するように設けられれば十分である。
【０１６３】
一方、排出部Ｆに設けられたモーターＦ２が作動しないにもかかわらず、タブボディー４１に供給された洗濯水が排水管８７を通してタブボディー４１の外部に排出されないようにするためには、排出管８４５は、タブボディー４１に貯蔵可能な洗濯水の最高水位よりも高い位置に設けなければならない。
【０１６４】
この場合、排水管８７は、排出管８４５よりも低い位置に設けられたポンプのハウジングＦ１から排出管８４５に向かって延び、モーターＦ２がインペラの作動を中断させると、排水管８７には連通管７９を通してドロワー３の内部の空気が流入して、サイフォン現象が遮断されるので、排水管８７の内部には洗濯水が残留するようになる。
【０１６５】
排水管８７に洗濯水が残留する場合、排水管８７を通して下水口の悪臭がタブボディー４１に流入することを防止できるという効果があるが、冬に排水管８７が凍破する危険を排除することができない。したがって、必要によって、排水管８７の内部の洗濯水までも排水させる必要があり、そのために、本発明には残水排出部９が設けられてもよい。
【０１６６】
本発明に備えられる残水排出部９は、排出部ＦのハウジングＦ１に連通し、ドロワー３がキャビネット２から引き出されたときにキャビネット２の外部に露出する残水排水管９１を備えることができる。
【０１６７】
残水排水管９１の固定端は、ハウジング第２排出部Ｆ５を介してハウジングＦ１に連通し、残水排水管９１の自由端は、ドロワーボディー３１に着脱可能に固定されてもよい。残水排水管９１の自由端には、残水排水管９１を開閉する排水管開閉部９１１が備えられる。
【０１６８】
一方、残水排水管９１の自由端をドロワーボディー３１に着脱可能に固定させるために、残水排出部９は、ドロワーボディー３１に設けられる排水管着脱部９３をさらに含むことができる。
【０１６９】
排水管着脱部９３は、ドロワーボディー３１に設けられ、ドロワーパネル３３の後方に隣接する位置（開放面２１に隣接する位置）に設けられる。
【０１７０】
すなわち、排水管着脱部９３は、ドロワーボディー３１に固定され、ドロワーパネル３３の背面と投入口３５３との間に位置する固定ボディー９３１と、固定ボディー９３１を貫通するように設けられる固定ボディー貫通孔９３３と、固定ボディー貫通孔９３３が固定ボディー９３１の外部と連通するように固定ボディー９３１が切開されて設けられる出入口９３５とを備えることができる。
【０１７１】
固定ボディー貫通孔９３３の直径は、残水排水管９１の直径以上に設けられ、出入口９３５の幅は、残水排水管９１の直径よりも小さく設けられる。
【０１７２】
したがって、使用者は、出入口９３５を介して残水排水管９１を固定ボディー貫通孔９３３に挿入するか、または固定ボディー貫通孔９３３から固定ボディー９３１の外部に引き出すことができる。
【０１７３】
一方、ドロワー３がキャビネット２から引き出されるとき、残水排水管９１がキャビネット２の内部で絡み合ったり、またはキャビネット２の内部に設けられた装置と干渉することを防止するために、ドロワーボディー３１は、残水排水管９１がキャビネット２の内周面に接触することを防止する排水管支持部３１３をさらに含むことができる。図８は、排水管支持部３１３がドロワーボディー３１の下部に設けられた場合を一例として示したものである。
【０１７４】
図示していないが、本発明の衣類処理装置は、タブ４に熱風を供給し、ドラム５の内部に貯蔵された洗濯物を乾燥する熱風供給装置（図示せず）をさらに含むことができる。熱風供給装置は第１処理装置Ｔに設けられてもよく、第２処理装置Ｌに設けられてもよい。
【０１７５】
以下では、図８を参照して、本発明の衣類処理装置の作動過程を説明する。
【０１７６】
洗濯物をドロワー３の内部に設けられた収容部４，５に投入するためには、使用者は、ドロワーパネル３３を用いてドロワーボディー３１をキャビネット２から引き出さなければならない。
【０１７７】
ドロワーボディー３１がキャビネット２から引き出されると、ボディー７４は、ボディーガイダー７６に支持されて、ベース回転軸７４３を中心にドロワーボディー３１が引き出される方向に向かって回転する。したがって、本発明は、ドロワー３がキャビネット２から引き出されるときに給水管７７が破損することを防止することができる。
【０１７８】
一方、ドロワー３がキャビネット２から引き出されると、第２フレーム８４は、第２軸８４１を中心に時計方向に回転し、第１フレーム８２は、第１軸８２１を中心に反時計方向に回転し、フレーム回転軸８６を介して第２フレーム８４と連結された状態を維持する。したがって、本発明は、ドロワー３がキャビネット２から引き出されるときに排水管８７が破損することも防止することができる。
【０１７９】
ドロワーボディー３１がキャビネット２から引き出されると、ドロワーカバー３５に設けられた投入口３５３はキャビネット２の外部に露出する。したがって、使用者は、投入口３５３の内部に位置したドア４９を回転させてタブ投入口４３５を開放することによって、タブ投入口４３５の下部に位置したドラム５に洗濯物を投入することができる。
【０１８０】
洗濯物をドラム５に投入すると、使用者は、ドア４９によりタブ投入口４３５を閉鎖させた後、ドロワー３をキャビネット２の内部に挿入させる。このとき、ガイダー７及び排水ガイダー８は、給水管７７及び排水管８７が、キャビネット２の内部にある装置やドロワー３などと干渉することを防止するようになる。
【０１８１】
ドロワー３がキャビネット２の内部に位置した状態で、使用者が、コントロールパネル３３１を介して洗濯のための制御命令を入力すると、供給部Ｖに設けられたバルブは給水管７７を開放するようになる。
【０１８２】
給水源から供給される洗濯水が給水管７７に流入すると、洗濯水は、ドロワーカバー３５に設けられた給水口３５５及びタブカバー４３に設けられた貫通孔４３８を経てドラム５に供給される。
【０１８３】
洗濯水の供給が完了すると、駆動部はドラム５を回転させる。ドラム５の回転時に、タブボディー４１の内部の洗濯水は、タブボディー４１の内部でドラムと共に回転することができる。
【０１８４】
ドラム５によって洗濯水がタブボディー４１の内部で回転すると、タブボディー４１の内部の洗濯水は、タブボディー４１の底面からタブカバー４３に向かって移動できるが、タブカバー４３には傾斜部４３９１が設けられているので、本発明は、ドラム５の開放された上部面を介して、洗濯水をドラム５の内部に再流入させることができる。
【０１８５】
洗濯が完了すると、制御部は、タブボディー４１の内部に貯蔵された洗濯水を排水する。
【０１８６】
すなわち、制御部は、排出部Ｆに設けられたモーターＦ２に電力を供給し、タブボディー４１の内部の洗濯水を排水管８７に移動させる。排水管８７に流入した洗濯水は、排出管８４５及び下水管Ｆ７を経て下水口に移動する。
【０１８７】
排水管８７は、連通管７９を介して給水管７７に連結されており、給水管７７は、給水口３５５を介してドロワーボディー３１の内部と連通するので、制御部がモーターＦ２に供給される電力を遮断すると、排水管８７には空気が供給されてサイフォン現象が遮断される。
【０１８８】
一方、本発明に備えられた排水管８７は、排水管８７の内部の残水がハウジングＦ１に向かって移動できるように傾斜して設けられるので、排水管８７の内部の残水は、ほとんどが排出部のハウジングＦ１に貯蔵される。
【０１８９】
ハウジングＦ１に洗濯水が貯蔵されている場合、下水口の悪臭が排水流路を介してタブボディー４１に流入することを防止することができ、衣類処理装置の外部温度が低くなる場合に第１排水管８３が破損することも防止することができる。
【０１９０】
また、本発明は、残水排水管９１がハウジングＦ１に連結されているので、必要によって、ハウジングＦ１の内部の残水までも排出することができる。ただし、ハウジングＦ１の内部の残水を排出させるためには、使用者がドロワー３をキャビネット２から引き出さなければならない。
【０１９１】
一方、洗濯物の洗濯のために供給される洗濯水が温水であるか、または洗濯物の洗濯後に洗濯物にスチームを供給する場合、タブボディー４１の内部に供給された水分（温水の蒸気やスチームなど）は、貫通孔４３８を介してタブボディー４１の外部に排出可能である。
【０１９２】
貫通孔４３８を介してタブボディー４１の外部に排出される水分は、貫通孔４３８の上部に設けられた第１回収部４５１の表面で凝縮された後、第２回収部４５３に落下するので、本発明は、タブボディー４１の内部の水分がドロワー３やキャビネット２に漏出することも最小化することができる。
【０１９３】
図９は、本発明に備えられたガイダー７の他の実施例を示したもので、本実施例に備えられたガイダー７は、図８のガイダー７と比較するとき、給水流路及び排水流路が１つのガイダー７によって支持されるという点で区別される。
【０１９４】
本実施例に備えられるガイダー７も、支持部７２に回転可能に設けられるボディー７４と、ボディー７４の移動を案内するボディーガイダー７６とを備える。
【０１９５】
ボディー７４は、ベース回転軸７４３を介して支持部７２に回転可能に結合されるベース７４１と、ベース７４１の内部空間を第１流路７１及び第２流路８１に区分する隔壁７４２と、ベース７４１に結合して第１流路７１及び第２流路８１を密閉させるカバー７４９とを備えることができる。
【０１９６】
ボディー７４は、ガイダー締結部７８１，７８３を介してボディーガイダー７６に支持され、ボディー７４とボディーガイダー７６の位置関係、ガイダー締結部７８１，７８３の位置及び構造は上述したものと同一であるので、詳細な説明は省略する。
【０１９７】
本実施例の場合、衣類処理装置に備えられる給水流路は、ボディー７４に設けられる第１流路７１と、第１流路７１を供給部Ｖに連結する連結管７３と、第１流路７１をドロワーに設けられた給水口３５５に連結する給水管７７とを備えることができる。給水管７７は、ドロワー３に固定された固定部７７１を介して給水口３５５に固定されてもよい。
【０１９８】
一方、本実施例に備えられる排水流路は、ボディー７４に設けられる第２流路８１と、第２流路８１と排出部のハウジングＦ１とを連結する第１排水管８３と、第２流路８１と下水管Ｆ７とを連結する第２排水管８５とを備えることができる。
【０１９９】
第２排水管８５は、ハウジングに設けられたハウジング第１排出部Ｆ４を介してハウジングＦ１に連結されてもよい。さらに、第１排水管８３及び第２排水管８５は、弾性材質（ゴムなど）で形成されるか、または長手方向に伸縮可能な蛇腹管構造で設けられてもよい。
【０２００】
一方、本実施例に備えられたボディー７４は、図１０に示した形態の断面を有するように設けられてもよい。図１０は、ドロワー３の後方面の上部に位置するボディー７４の断面が、ドロワー３の後方面の上縁部を収容可能な形状に設けられた場合を示したもので、これによって、本発明は、キャビネット２の体積は最小化しながら、ドロワー３の体積は最大化することができる。
【０２０１】
第１流路７１は、ドロワー３の上部に設けられ、ドロワーの上部面（ドロワーカバー）３５に平行であり、第２流路８１は、ドロワー３の後方に設けられ、ドロワー３の後方面に平行に設けられてもよい。
【０２０２】
自重や外力（ドロワーの振動など）によってボディー７４に垂れが発生すると、ボディー７４の領域において第１流路７１が設けられた領域は、ドロワーの上部面３５に支持され得るので、上述したボディー７４の断面形状は、ガイダー７の変形や破損を防止する手段となる。
【０２０３】
ドロワー３がキャビネット２に挿入された状態である場合、ボディー７４の領域において第２流路８１が設けられた領域は、ガイダー７がドロワー３に向かって回転することを防止する。したがって、上述したボディー７４の断面形状は、外力（ドロワーの振動など）によって、ボディー７４が設定された位置を離脱することを防止する手段となる。
【０２０４】
本発明は、様々な形態に変形して実施可能であり、上述した実施例にその権利範囲が限定されるものではない。したがって、変形した実施例が本発明の特許請求の範囲の構成要素を含んでいる場合、本発明の権利範囲に属するものと解さねばならない。
【符号の説明】
【０２０５】
１００    衣類処理装置
Ｔ    第１処理装置
Ｌ    第２処理装置
２    キャビネット
３    ドロワー
３１    ドロワーボディー
３３    ドロワーパネル
３５    ドロワーカバー
３５３    投入口
３５５    給水口
４    タブ
４１    タブボディー
４３    タブカバー
４３５    タブ投入口
４３８    貫通孔
４５    回収部
４５１    第１回収部
４５３    第２回収部
４５４    回収ボディー
４５５    ボディーフランジ
４５６    ボディー貫通孔
４５７    フランジ貫通孔
４７    回収孔
４９    ドア
４９５    シーリング部
５    ドラム
７    ガイダー
７２    支持部
７４    ボディー
７４１    ベース
７４３    ベース回転軸
７４５    収容空間
７６    ボディーガイダー
７８    ガイダー締結部
８    排水ガイダー
８２    第１フレーム
８４    第２フレーム
８６    フレーム回転軸
７１    第１流路
７３    連結管
７７    給水管
７９    連通管
８１    第２流路
８３    第１排水管
８５    第２排水管
９    残水排出部
９１    残水排水管
９３    排水管着脱部
Ｆ    排出部
Ｆ１    ハウジング
【図１】
2015226772.tif 000003
【図２】
2015226772.tif 000004
【図３】
2015226772.tif 000005
【図４】
2015226772.tif 000006
【図５】
2015226772.tif 000007
【図６】
2015226772.tif 000008
【図７】
2015226772.tif 000009
【図８】
2015226772.tif 000010
【図９】
2015226772.tif 000011
【図１０】
2015226772.tif 000012